【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  光ＷＤＭリンクにおける光発信手段により発射されかつ波長選択素子により受信される複数のチャネルの波長を制御する方法であって、
前記波長選択素子により選択される波長に影響するパラメタの出発値に注目することを含む前記方法において、
各チャネルに対して、前記チャネルの出力電力が最大になる前記パラメタに相当する前記パラメタのチャネル中心値（４０９）を前記出発値に比較して決定するステップと、
全部のチャネルに対する前記チャネル中心値の平均に相当する平均値（５０１）を計算するステップと、
前記平均値（５０２）を前記光リンクにおける波長ドリフトの標識として利用し、かつ前記発射された波長と前記波長選択素子により選択される波長との間の偏差を調節し、かつ前記波長選択素子及び前記光発信手段の少なくとも一方における波長偏差を補正するステップと、を特徴とする複数のチャネルの波長を制御する方法。
【請求項２】  請求項１に記載の方法であって、そこに前記チャネル中心値の決定は、
各チャネルに対して、前記波長選択素子からの前記チャネル出力の電力が所定レベルより下に降下する前記出発パラメタ値に比較しての前記波長選択素子の第１のパラメタ値（４０２−４０４）を決定し、
各チャネルに対して、前記波長選択光素子からの前記チャネル出力の電力が前記所定レベルより下に降下する前記出発パラメタ値に比較しての前記波長選択光素子の第２のパラメタ値（４０６−４０８）を決定し、また
各チャネルに対して、前記第１と第２のパラメタ値の平均に相当するチャネル平均値（４０９）を決定すること、を含む複数のチャネルの波長を制御する方法。
【請求項３】  請求項２に記載の方法であって、そこに前記第１及び第２のパラメタ値は前記出発値に比較しての差分値である、複数のチャネルの波長を制御する方法。
【請求項４】  請求項１に記載の方法であって、
前記チャネル中心値を、波長におけるドリフトを明示するチャネルのチャネルの合計数に対する比率を決定するために利用し、また
前記平均値（ＭＤ）を、前記比率が所定量を超える時前記波長選択素子により選択された波長に影響するパラメタを調節するために利用すること、を含む複数のチャネルの波長を制御する方法。
【請求項５】  請求項１から４のいづれか１つに記載の方法であって、
少なくとも所定数のチャネルの各々に対して、前記チャネルにおける波長シフトを示す差分値を得るために前記チャネル中心値を所定のチャネル分散値（５０３）と比較すること、を含む複数のチャネルの波長を制御する方法。
【請求項６】  請求項５に記載の方法であって、
少なくとも所定数のチャネルに対して、零から外れる差分値（５０４）を合計することにより波長ドリフトを示す前記チャネルの比率を決定すること、を含む複数のチャネルの波長を制御する方法。
【請求項７】  請求項５又は６に記載の方法であって、
前記所定のチャネル分散値を、所定の公称チャネル波長をもつ前記チャネルの出力電力が最適化される前記波長選択素子の前記パラメタの値と、所定の公称チャネル波長をもつ全部のチャネルの平均出力電力が最適化される前記波長選択素子の前記パラメタの値との間の差分として設定すること、を含む複数のチャネルの波長を制御する方法。
【請求項８】  請求項５から７のいづれか１つに記載の方法であって、
前記光リンクの動作に先立って、光発信源の波長を所定の公称チャネル波長に設定し、
前記波長選択素子を、全部の前記チャネルの出力電力が最適化される公称パラメタ値に設定し、
各チャネルに対して、前記波長選択素子からの前記チャネル出力の電力が所定レベルより下に降下する前記公称値に比較しての前記波長選択素子の前記パラメタの第１の値を決定し、
各チャネルに対して、前記波長選択光素子からの前記チャネル出力の電力が前記所定レベルより下に降下する前記公称値に比較しての前記波長選択素子の第２のパラメタ値を決定し、
各チャネルに対して前記第１と第２のパラメタ値の平均を決定し、
各チャネルに対して、前記平均を前記所定のチャネル分散値（４０９）として利用すること、を含む複数のチャネルの波長を制御する方法。
【請求項９】  請求項５から８の１つに記載の方法であって、
前記波長選択素子の波長影響パラメタを調節するために前記差分値を利用すること、を含む複数のチャネルの波長を制御する方法。
【請求項１０】  請求項５から８の１つに記載の方法であって、
各チャネルに対して、前記光発信手段により発射される波長を補正するために前記差分値を利用すること、を含む複数のチャネルの波長を制御する方法。
【請求項１１】  請求項２から１０のいづれか１つに記載の方法であって、
そこに前記平均値は、全部のチャネルに対する前記第１と第２のパラメタ値の重み付けされた平均である、複数のチャネルの波長を制御する方法。
【請求項１２】  請求項１から１１のいづれか１つに記載の方法において、前記パラメタは前記波長選択素子の温度であることを特徴とする複数のチャネルの波長を制御する方法。
【請求項１３】  請求項１から１１のいづれか１つに記載の方法において、前記パラメタは前記波長選択素子の中への注入電流であることを特徴とする複数のチャネルの波長を制御する方法。
【請求項１４】  請求項１から１１のいづれか１つに記載の方法において、前記パラメタは前記波長選択素子と提携する光素子の機械的運動であることを特徴とする複数のチャネルの波長を制御する方法。
【請求項１５】  光ＷＤＭリンクにおいて利用されるチャネルの波長を制御するための波長制御装置であって、
光発信手段（１０、１１０）により発射される複数の光チャネルを含む組合わされた光信号を受信するためのかつ波長に従って少なくとも２つの光チャネルを分離するように適合された波長選択素子（５０）と、
前記波長選択素子（５０）から出力される前記チャネル上の光信号を検出するためのモニタ手段（６０、７０）と、
前記波長選択素子（５０）により選択される波長に影響することの出来るパラメタを調整するための手段（９０）と、を含む波長制御装置において、
前記調整器（９０）及び前記モニタ手段（７０）と通信するように配置され、
各チャネルに対して前記波長選択素子（５０）の出発パラメタ値に比較しての前記チャネルの出力電力が最大になるパラメタ値の平均に相当する前記波長選択素子（５０）のパラメタ平均値を決定し、
前記パラメタ平均値に基づいて波長ドリフトを決定し、
かつ波長を修正するための少なくとも１つの制御信号を発生するため、
適合された制御手段（１００）を特徴とする波長制御装置。
【請求項１６】  請求項１５に記載の装置において、
前記制御手段（１００）は、各チャネルに対して前記チャネルの出力電力が所定のレベルより下がる前記波長選択素子（５０）と提携する２つのパラメタ値を決定しかつ各チャネルに対する２つのパラメタ値から前記パラメタ平均値を計算するため適合されることを特徴とする波長制御装置。
【請求項１７】  請求項１５又は１６に記載の装置において、
前記制御手段（１００）は、前記波長ドリフトの大きさと源を決定するための処理手段を含むことを特徴とする波長制御装置。
【請求項１８】  請求項１５から１７のいずれか１つに記載の装置において、前記波長選択素子（５０）は配列された導波管回折格子（ＡＷＧ）であることを特徴とする波長制御装置。
【請求項１９】  請求項１５から１８のいずれか１つに記載の装置において、
前記制御手段（１００）は、前記少なくとも１つの制御信号を使用して発射される波長を変えるため前記光発信手段（１０）と通信するため適合していることを特徴とする波長制御装置。
【請求項２０】  請求項１５から１９のいずれか１つに記載の装置において、
前記発信手段（１０）におけるレーザ（１１０）と提携する調整器（１３０）は、前記制御手段（１００）からの少なくとも１つの制御信号に応じて前記レーザ（１１０）の波長影響パラメタを変えるため適合していることを特徴とする波長制御装置。
【請求項２１】  請求項１５から２０のいずれか１つに記載の装置において、
前記調整手段（９０）は、前記制御手段（１００）からの少なくとも１つの制御信号に応じて前記波長選択素子（５０）の前記パラメタを変えるため適合していることを特徴とする波長制御装置。
【請求項２２】  請求項１５から２１のいずれか１つに記載の装置において、
前記制御手段（１０）は、前記発信手段（１０）と前記調整手段（９０）とモニタ手段（７０）の少なくとも１つと制御チャネル１５０を経由して通信するため適合していることを特徴とする波長制御装置。
【請求項２３】  請求項１２から２２のいずれか１つに記載した様な波長制御装置を含む光ＷＤＭリンク。